(57)【要約】【課題】ハンマーの左右方向の動きを規制しながら、シャーシの境界部の強度を十分に確保できるとともに、雑音の発生を防止することができる鍵盤楽器の鍵盤装置を提供する。【解決手段】左右方向に並んだ複数のシャーシ２と、シャーシ２に回動自在に支持された複数の鍵３と、シャーシ２に回動自在に支持され、対応する鍵３の押鍵に伴って回動する複数のハンマー４と、シャーシ２に設けられ、複数の各々のハンマー４に両側から近接して対向し、ハンマー４の左右方向の動きを規制するための左右一対の側壁１４，１４をそれぞれ有する複数のガイド部１７と、を備え、複数のガイド部１７のうち、複数のシャーシ２の境界部におけるガイド部１７の一対の側壁１４，１４は、隣り合う２つのシャーシ２の一方の側端壁１４ａおよび他方の側端壁１４ｂによって構成されていることを特徴とする。【選択図】  図６
2005037458.tif 000002
【特許請求の範囲】
【請求項１】
左右方向に並んだ複数のシャーシと、
当該シャーシに回動自在に支持された複数の鍵と、
前記シャーシに回動自在に支持され、対応する前記鍵の押鍵に伴って回動する複数のハンマーと、
前記シャーシに設けられ、前記複数の各々のハンマーに両側から近接して対向し、当該ハンマーの左右方向の動きを規制するための左右一対の側壁をそれぞれ有する複数のガイド部と、を備え、
前記複数のガイド部のうち、前記複数のシャーシの境界部における前記ガイド部の前記一対の側壁は、隣り合う２つの前記シャーシの一方の側端壁および他方の側端壁によって構成されていることを特徴とする鍵盤楽器の鍵盤装置。
【請求項２】
前記複数のシャーシは、互いに同一の１オクターブ単位の複数のシャーシを含むことを特徴とする、請求項１に記載の鍵盤楽器の鍵盤装置。
【請求項３】
前記ガイド部は、前記シャーシに一体に成形されていることを特徴とする、請求項１または２に記載の鍵盤楽器の鍵盤装置。
【請求項４】
前記シャーシは、合成樹脂の成形品で構成されていることを特徴とする、請求項３に記載の鍵盤楽器の鍵盤装置。
【発明の詳細な説明】
【０００１】
【発明の属する技術分野】
本発明は、電子ピアノなどに用いられる鍵盤楽器の鍵盤装置に関する。
【０００２】
【従来の技術】
従来のこの種の鍵盤楽器の鍵盤装置として、例えば特許文献１に開示されたものが知られている。この鍵盤装置は、電子ピアノ用であり、図７に示すように、シャーシ８１、複数の鍵８２および複数のハンマー８３（ともに１つのみ図示）などを備えている。シャーシ８１は、１オクターブ単位の６個の中間シャーシ８１ａ（図８参照）、最低音部用シャーシおよび最高音部用シャーシ（ともに図示せず）で構成されている。中間シャーシ８１ａは、互いに同じ寸法および形状を有している。これらの複数のシャーシは、左右方向に並んだ状態で連結され、棚板８４上に支持されている。また、各シャーシには、後端部に鍵支点８５が、中央部にハンマー支点８６が、その前側に第２ハンマー通過孔８７が、さらに前端部に第１ハンマー通過孔８８が、それぞれ鍵８２ごとに形成されている（図８参照）。
【０００３】
複数の鍵８２は、白鍵８２ａおよび黒鍵８２ｂで構成されており、それらの後端部がシャーシ８１の鍵支点８５に回動自在に支持され、シャーシ８１の上側に前後方向に延びている。ハンマー８３は、前後方向に延びており、その後部が隣り合う２つのハンマー支点８６，８６にまたがるように取り付けられ、これに回動自在に支持されている。また、ハンマー８３は、第２ハンマー通過孔８７を通って、シャーシ８１の下側を前方に延びており、前端部の左右の側面には、ハンマー８３に重さを付与するための質量板８９（１つのみ図示）がそれぞれ設けられている。
【０００４】
以上の構成により、ハンマー８３は、鍵８２の押鍵時に、後端部が鍵８２で押し下げられることによって、ハンマー支点８６を中心として、図７の時計回りに回動する。それに伴い、ハンマー８３の前端部が第１ハンマー通過孔８８を下方から通過する。
【０００５】
【特許文献１】
特開２０００−１２２６５４号公報（第５〜７頁、第１図および第３図）
【０００６】
【発明が解決しようとする課題】
上記の従来の鍵盤装置では、ハンマー８３は、その後端部においてハンマー支点８６に支持されるとともに、前端部は左右方向にフリーな状態にある。このため、例えば電子ピアノをその左右を上下方向にした縦置き状態で保管した場合、ハンマー８３がハンマー支点８６から大きく垂れ下がるとともに、ハンマー支点８６から遠い位置にある質量板８９を含む自重による大きな曲げモーメントが作用することによって、ハンマー８３が変形するおそれがある。その結果、電子ピアノを平置き状態にして演奏したとき、ハンマー８３が第１ハンマー通過孔８８を通過する際に、その側壁９０に接触することで、演奏に支障を来すおそれがある。
【０００７】
このような不具合を解消するため、例えば図９および図１０に示すように、各第１ハンマー通過孔８８の左右の側壁９０を下方に延ばすことによって、ハンマー８３の左右方向の動きを規制することが考えられる。しかし、その場合には、図１０に示すように、中間シャーシ８１ａなどの境界部において、隣り合う第１ハンマー通過孔８８，８８間の間隔を、他の部分の間隔と同じにするために、互いに隣接する最外側の２つの側壁９０ａ，９０ａの各々を、他の部分の側壁９０よりも薄くせざるを得ず、その分、強度が低下する。また、最外側の各側壁９０ａが薄いことと、その面積が従来よりも広いことから、演奏時に、ハンマー８３の接触などによって、側壁９０ａ，９０ａが振動しやすく、雑音の発生の原因になるおそれがある。このような不具合を解消するために、中間シャーシ８１ａ，８１ａ同士を接着した場合には、その分、組立工数が増えてしまい、製造コストが増大するとともに、電子ピアノを分解する際、シャーシ８１が分解しにくくなる。
【０００８】
本発明は、上記課題を解決するためになされたものであり、ハンマーの左右方向の動きを規制しながら、シャーシの境界部の強度を十分に確保できるとともに、雑音の発生を防止することができる鍵盤楽器の鍵盤装置を提供することを目的とする。
【０００９】
【課題を解決するための手段】
この目的を達成するために、請求項１に係る鍵盤楽器の鍵盤装置は、左右方向に並んだ複数のシャーシと、シャーシに回動自在に支持された複数の鍵と、シャーシに回動自在に支持され、対応する鍵の押鍵に伴って回動する複数のハンマーと、シャーシに設けられ、複数の各々のハンマーに両側から近接して対向し、ハンマーの左右方向の動きを規制するための左右一対の側壁をそれぞれ有する複数のガイド部と、を備え、複数のガイド部のうち、複数のシャーシの境界部におけるガイド部の一対の側壁は、隣り合う２つのシャーシの一方の側端壁および他方の側端壁によって構成されていることを特徴とする。
【００１０】
この鍵盤楽器の鍵盤装置によれば、鍵盤楽器を保管などのために縦置き状態にした場合に、ハンマーが、自重により上下方向（平置き状態の左右方向）に垂れ下がろうとしても、これに近接して対向するガイド部の下側の側壁に当たることによって、それ以上の下方への動きが規制される。このように、ハンマーがほとんど垂れ下がることなく側壁に支持されるので、自重によりハンマーに作用する曲げモーメントが低減されることによって、ハンマーの変形を抑制することができる。その結果、鍵盤楽器の演奏を支障なく行うことができる。
【００１１】
また、シャーシの境界部におけるガイド部の一対の側壁は、隣り合う２つのシャーシの一方の側端壁および他方の側端壁によって構成されているので、境界部の側壁を薄くすることなく、境界部以外の側壁と同じ厚さを確保することができる。これにより、境界部のガイド部の強度を他のガイド部と同様に十分に確保することができる。また、境界部の側壁が厚くなることによって、側壁が振動しにくくなるので、演奏時にハンマーが接触しても、雑音の発生を防止することができる。
【００１２】
請求項２に係る発明は、請求項１に記載の鍵盤楽器の鍵盤装置において、複数のシャーシは、互いに同一の１オクターブ単位の複数のシャーシを含むことを特徴とする。
【００１３】
鍵盤楽器では、白鍵と黒鍵が１オクターブごとに同一の配列で繰り返される。したがって、この構成では、シャーシの大部分を互いに同一の１オクターブ単位の複数のシャーシで構成でき、シャーシの金型の共通化によって、金型費を削減することができる。その結果、シャーシの製作コスト、ひいては鍵盤装置の製造コストを大幅に削減することができる。
【００１４】
請求項３に係る発明は、請求項１または２に記載の鍵盤楽器の鍵盤装置において、ガイド部は、シャーシに一体に成形されていることを特徴とする。
【００１５】
この構成によれば、シャーシにガイド部を取り付ける作業が不要になり、それにより、製造コストを削減することができる。
【００１６】
請求項４に係る発明は、請求項３に記載の鍵盤楽器の鍵盤装置において、シャーシは、合成樹脂の成形品で構成されていることを特徴とする。
【００１７】
この構成によれば、所望の形状およびばらつきのない強度特性などを有するシャーシを容易に作製することができる。
【００１８】
【発明の実施の形態】
以下、本発明の好ましい実施形態を、図面を参照しながら、詳細に説明する。図１および図２は、本発明の一実施形態による電子ピアノの鍵盤装置を示している。この鍵盤装置１は、８８鍵用のものであり、シャーシ２と、シャーシ２の後端部に回動自在に取り付けられた、白鍵３ａおよび黒鍵３ｂからなる８８個の鍵３（白鍵３ａおよび黒鍵３ｂの各１個のみ図示）と、シャーシ２の中央部に回動自在に取り付けられたハンマー４などを備えている。
【００１９】
シャーシ２は、７個の基本シャーシ２ａ（図３に１個分、図５に２個分図示）と、１個の最高音部用シャーシ２ｂ（図４参照）の、計８個のシャーシにより分割構成され、左右方向に並んだ状態で棚板５上に支持されている。
【００２０】
図３（ａ）に示すように、基本シャーシ２ａには、鍵３やハンマー４を支持などするための後述する支点や孔の列が、鍵３ごとに左右方向に並ぶように設けられている。具体的には、左側から順に、Ａ鍵用からＧ＃鍵用までの１２列（以下、適宜「Ａ列」「Ｇ＃列」などという）、すなわち１オクターブ分の列が形成されている。また、図５に示すように、基本シャーシ２ａは、互いに同じ寸法および形状を有し、同一の金型で成形された合成樹脂（例えばＡＢＳ樹脂）の射出成形品で構成されている。図４に示すように、最高音部用シャーシ２ｂは、基本シャーシ２ａの一部で構成されている。具体的には、最高音部用シャーシ２ｂは、基本シャーシ２ａを図３（ａ）に示すＸ−Ｘ’に沿って切断した左側の部分で構成されており、Ａ鍵からＣ鍵までの計４個の鍵３などを支持する。
【００２１】
以上の計８個のシャーシは、左右方向に延びる４本の連結バー６にねじ７で固定され、連結バー６上に左右方向に並んだ状態で連結されている。各連結バー６は、シャーシ２の左右方向の全体に渡る長さの細い１本のアングル状のものであり、例えば鋼板の曲げ加工によって形成されている。
【００２２】
図３に示すように、基本シャーシ２ａの各列には、後端部に鍵３を支持する鍵用軸孔８が、中央部にハンマー用軸穴９が、さらに、前部およびハンマー用軸穴９の前後には、回動するハンマー４が通過する第１〜第３ハンマー通過孔１０ａ〜１０ｃが、第１ハンマー通過孔１０ａの後ろ側には、回動する鍵３の鍵ストッパ部１１が通過する鍵通過孔１２が形成されている。また、基本シャーシ２ａには、第１ハンマー通過孔１０ａの前側で各白鍵３ａに相当する位置に白鍵用ガイド１３ａが、鍵通過孔１２の後ろ側で各黒鍵３ｂに相当する位置に黒鍵用ガイド１３ｂが、それぞれ立設されている。
【００２３】
また、隣り合う２つの第１ハンマー通過孔１０ａ，１０ａは、側壁１４で仕切られている。基本シャーシ２ａには、このような側壁１４が、Ａ列の左側からＧ列の右側までのものが互いに同じ厚さおよび間隔で並設されている。その結果、基本シャーシ２ａには、Ａ列からＧ列までの第１ハンマー通過孔１０ａが互いに所定の間隔で並んだ状態で形成されるとともに、Ｇ＃列の第１ハンマー通過孔１０ａの右側（高音側）は開放されている。図３（ｂ）に示すように、各側壁１４は、上下方向に延びており、その側面が逆三角形状になっている。また、基本シャーシ２ａには、Ａ列の左側の側壁１４ａ（以下「左側端壁１４ａ」という）からＧ列の右側の側壁１４ｂ（以下「右側端壁１４ｂ」という）までの側壁１４の下端部間を互いに連結するように、ガイド部連結バー１５が設けられており、このガイド部連結バー１５は棚板５上に載置されている。さらに、各側壁１４の左右の側面には、ガイド部連結バー１５から側壁１４の上端まで連続的に延びる半円形状のガイド突部１６が設けられている。そして、各第１ハンマー通過孔１０ａの両側の側壁１４，１４およびそれらの各内側面のガイド突部１６，１６によって、ハンマー４の左右方向の動きを規制するためのガイド部１７が構成されている。これらのガイド部連結バー１５およびガイド突部１６は、基本シャーシ２ａに一体に成形されており、第１ハンマー通過孔１０ａの中央よりもやや前寄りに配置されている。
【００２４】
また、図６に示すように、右側端壁１４ｂは、基本シャーシ２ａの右端よりも内側に配置されており、第１ハンマー通過孔１０ａの後壁１４ｃが、第１ハンマー通過孔１０ａの幅の約２／３の長さ、右方にすなわちＧ＃列に向かって突出しているとともに、第１ハンマー通過孔１０ａの前壁１４ｄが、第１ハンマー通過孔１０ａの幅の約半分の長さ、右方に突出している。一方、左側端壁１４ａは、基本シャーシ２ａの左端とほぼ面一に配置されており、後壁１４ｃの左端が、左側端壁１４ａと面一になっているとともに、前壁１４ｄが、第１ハンマー通過孔１０ａの幅の約半分の長さ、左方に突出している。
【００２５】
以上の構成による結果、図５および図６に示すように、基本シャーシ２ａ，２ａを互いに連結したときには、左側の基本シャーシ２ａの右側端壁１４ｂと、右側の基本シャーシ２ａの左側端壁１４ａが、Ｇ＃列以外の第１ハンマー通過孔１０ａの両側の側壁１４，１４間と同じ間隔で対向し、これらの左側端壁および右側端壁１４ａ，１４ｂによって、基本シャーシ２ａの境界部におけるＧ＃列の第１ハンマー通過孔１０ａが形成される。同様にして、基本シャーシ２ａと最高音部用シャーシ２ｂの間にも、Ｇ＃列の第１ハンマー通過孔１０ａが形成される。また、左側端壁および右側端壁１４ａ，１４ｂと、それらの各内側面のガイド突部１６，１６によって、Ｇ＃鍵用のハンマー４を案内するガイド部１７が構成される。
【００２６】
また、図１に示すように、シャーシ２には、鍵３およびハンマー４の回動を上下方向において規制するために、白鍵用下限ストッパ２１ａ、黒鍵用下限ストッパ２１ｂ、鍵上限ストッパ２２、ハンマー下限ストッパ２３、およびハンマー上限ストッパ２４が設けられている。黒鍵用下限ストッパ２１ｂおよび鍵上限ストッパ２２は、鍵通過孔１２と黒鍵用ガイド１３ｂの間の同じ位置に、シャーシ２を挟むようにしてシャーシ２の上面および下面にそれぞれ取り付けられている。また、ハンマー下限ストッパ２３は、前側の連結バー６の下端部に取り付けられている。さらに、白鍵用下限ストッパ２１ａおよびハンマー上限ストッパ２４は、白鍵用ガイド１３ａの後ろ側の位置に、シャーシ２を挟むようにしてシャーシ２の上面および下面にそれぞれ取り付けられている。これらのストッパ２１〜２４はいずれも、シャーシ２の左右方向の全体に渡る１本の帯状の緩衝材で構成されている。
【００２７】
さらに、シャーシ２のハンマー用軸穴９の後ろ側には、鍵３の押鍵情報を検出するための鍵スイッチ２５が設けられている。この鍵スイッチ２５は、シャーシ２にねじ止めされたプリント基板２６と、その上面に設けられたスイッチ本体２７を備えている。スイッチ本体２７は、シャーシ２の第３ハンマー通過孔１０ｃに下方から臨んでおり、プリント基板２６を介して、電子ピアノの発音を制御する制御装置（図示せず）に接続されている。
【００２８】
鍵３（白鍵３ａおよび黒鍵３ｂ）は、例えばＡＳ樹脂の射出成形品で構成されており、両側壁３ｃ（一方のみ図示）と天壁３ｄからなる逆Ｕ字形の断面を有している。鍵３の両側壁３ｃの後端部には、内方に突出する突起３１が形成されていて、この突起３１がシャーシ２の後端部の鍵用軸孔８に係合することによって、鍵３がシャーシ２に回動自在に支持されている。また、鍵３には、その両側壁３ｃの前部から下方に延びるフック状の鍵ストッパ部１１が形成されている。
【００２９】
一方、ハンマー４は、前後方向に延びるハンマー本体３２と、ハンマー本体３２の前端部の左右の側面に取り付けられた２枚の質量板３３（１枚のみ図示）とで構成されている。ハンマー本体３２の後端部には、両側方に突出するピン状の突起３４が形成されている。この突起３４が、シャーシ２の列間にそれぞれ形成されたハンマー用軸穴９の隣接する２つにまたがるように係合することによって、ハンマー４がシャーシ２に回動自在に支持されている。質量板３３は、ハンマー４にアコースティックピアノと同様のタッチ重さを付与するためのものであり、鋼板などの重い材料で構成されている。また、各質量板３３の側面の下部には、ガイド突部１６に対応する部位に矩形のクッション材３８が設けられている。このクッション材３８は、ガイド突部１６に接触する際に、摺動性を持たせるとともに、雑音の発生を防止する役割を果たすものである。
【００３０】
ハンマー本体３２のハンマー用軸穴９よりも後ろ側の部分は、スイッチ押圧部３５になっており、このスイッチ押圧部３５は、シャーシ２の第３ハンマー通過孔１０ｃに臨み、鍵スイッチ２５のスイッチ本体２７に上方から対向するとともに、このスイッチ押圧部３５に、鍵３の下面に設けられたアクチュエータ部３６が上方から当接している。また、ハンマー４は、その中央部がシャーシ２の第２ハンマー通過孔１０ｂを上下に横切ってシャーシ２の下側を前方に延びており、その前端にはハンマーストッパ部３７が前方に突出して形成されている。
【００３１】
以上の構成により、ハンマー４は、鍵３の押鍵時に、スイッチ押圧部３５が鍵３のアクチュエータ部３６で押圧されることによって、図１の時計方向に回動し、前端部の質量板３３が第１ハンマー通過孔１０ａを下方から通過する。その際、ハンマー４の左右方向の動きは、ガイド部１７の側壁１４およびガイド突部１６によって規制される。
【００３２】
また、ハンマー４の回動に伴い、そのスイッチ押圧部３５が、鍵スイッチ２５のスイッチ本体２７を押下し、オン動作させることによって、鍵３の押鍵情報が検出され、その結果に応じて、制御装置により電子ピアノの発音が制御される。
【００３３】
以上のように、本実施形態の電子ピアノの鍵盤装置１によれば、シャーシ２の前端部に設けられたガイド部１７によって、ハンマー４の左右方向の動きを規制することができる。したがって、例えば電子ピアノを保管などのために縦置きにした場合、ハンマー４の自重による垂れ下がりを、ガイド部１７によって防止することができる。このように、ハンマー４がほとんど垂れ下がることなくガイド部１７に支持されるので、自重によりハンマー４に作用する曲げモーメントが低減されることによって、ハンマー４の変形を抑制することができる。その結果、電子ピアノの演奏を支障なく行うことができる。また、演奏時に、ハンマー４が左右方向にぶれたとしても、ハンマー４は上下方向に延びる半円形状のガイド突部１６にのみ接触するため、より大きな側壁１４に接触する場合よりも接触面積が小さく、接触による摩擦も小さいので、鍵３のタッチ感の悪化や雑音の発生を防止することができる。
【００３４】
また、基本シャーシ２ａと、他の基本シャーシ２ａまたは最高音部用シャーシ２ｂとの境界部におけるＧ＃鍵用のハンマー４のガイド部１７が、隣り合う２つのシャーシの一方の左側端壁１４ａおよび他方の右側端壁１４ｂによって構成されているので、境界部の側壁１４を薄くすることなく、境界部以外の側壁１４と同じ厚さを確保することができる。これにより、境界部のガイド部１７の強度を他のガイド部１７と同様に十分に確保することができる。また、境界部の側壁１４が厚くなることによって、側壁１４が変形しにくく、また振動しにくくなるので、演奏時にハンマー４が接触しても、雑音の発生を防止することができる。その結果、雑音の発生を防止するための境界部の接着工程などが不要になり、組立工数が減少するとともに、シャーシ２の分解を容易に行うことができる。
【００３５】
また、基本シャーシ２ａは互いに同一の１オクターブ単位で構成されているので、シャーシの金型の共通化によって、金型費を削減することができる。さらに、通常の８８鍵用の電子ピアノでは、７個の基本シャーシ２ａと１個の最高音部用シャーシ２ｂでシャーシ２を構成することができるので、従来の最低音部用シャーシが不要になる。また、ガイド部１７を構成する側壁１４およびガイド突部１６がシャーシ２に一体に成形されているので、シャーシ２にガイド部１７を取り付ける作業が不要になる。以上により、電子ピアノの製造コストを削減することができる。さらに、基本シャーシ２ａがＡＢＳ樹脂などの合成樹脂の成形品で構成されているため、所望の形状およびばらつきのない強度特性などを有する基本シャーシ２ａを容易に作製することができる。
【００３６】
なお、本発明は、説明した実施形態に限定されることなく、種々の態様で実施することができる。例えば、本実施形態では、ガイド部１７が基本シャーシ２ａなどに一体に成形されているが、別々に作製した後に、ガイド部１７を基本シャーシ２ａなどに取り付けてもよい。また、実施形態は、本発明を電子ピアノに適用した例であるが、本発明は、これに限らず、シンセサイザなどの他のタイプの電子楽器に適用することも、もちろん可能である。その他、本発明の趣旨の範囲内で、細部の構成を適宜、変更することが可能である。
【００３７】
【発明の効果】
以上のように、本発明の鍵盤楽器の鍵盤装置によれば、ハンマーの左右方向の動きを規制しながら、シャーシの境界部の強度を十分に確保できるとともに、雑音の発生を防止することができるなどの効果を有する。
【図面の簡単な説明】
【図１】本発明の実施形態による電子ピアノの鍵盤装置の離鍵状態の側断面図である。
【図２】図１の鍵盤装置の押鍵状態の側断面図である。
【図３】基本シャーシの（ａ）平面図および（ｂ）側面図である。
【図４】最高音部用シャーシの平面図である。
【図５】基本シャーシを左右方向に並べた状態の平面図である。
【図６】シャーシの境界部におけるガイド部の拡大平面図である。
【図７】従来の電子ピアノの鍵盤装置を示す側断面図である。
【図８】従来のシャーシを示す平面図である。
【図９】図７の鍵盤装置の変形例を示す部分拡大側断面図である。
【図１０】図９の鍵盤装置のシャーシを左右方向に並べた状態の部分拡大平面図である。
【符号の説明】
１  鍵盤装置
２  シャーシ
２ａ  基本シャーシ（１オクターブ単位のシャーシ）
３  鍵
４  ハンマー
１４  側壁
１４ａ  左側端壁（側端壁）
１４ｂ  右側端壁（側端壁）
１７  ガイド部
【図１】
2005037458.tif 000003
【図２】
2005037458.tif 000004
【図３】
2005037458.tif 000005
【図４】
2005037458.tif 000006
【図５】
2005037458.tif 000007
【図６】
2005037458.tif 000008
【図７】
2005037458.tif 000009
【図８】
2005037458.tif 000010
【図９】
2005037458.tif 000011
【図１０】
2005037458.tif 000012